Podtech/llm-jp-corpus-v4-ja_patent huggingface dataset:
(57)【要約】【課題】流体の停止及び開放の制御を、より簡便な方法で行うバルブシステムを提供する。【解決手段】入力筐体１の両端に、左排出口３及び右排出口４を設け。左排出口３及び右排出口４のそれぞれに漏出防止パッキン７を配し、シャフトバルブ５を左排出口３及び右排出口４を塞ぐように挿入したシャフトスライド式バルブ機構を提供する。これによって閉鎖密閉状態では、流体圧力によって入力筐体１及びシャフトバルブ５を静止状態にし、開放移動状態では流体圧力によってシャフトバルブ５を押し出そうとしてシャフトバルブ５は開放状態を持続するので、開放状態維持のために複雑な機構を必要としない。【選択図】図１
2006307928.tif 000002
【特許請求の範囲】
【請求項１】
筐体内を貫通し、流体の開放移動と停止密封とをシャフトバルブを移動させることによって制御するシャフトスライド式バルブ機構。
【請求項２】
シャフトバルブの両端の径を異径にした場合に、シャフトバルブを流体の圧力によって小径側から大径側に移動させ自己解放するシャフトスライド式バルブ機構。
【発明の詳細な説明】
【技術分野】
【０００１】
本発明は、シャフト状のバルブを入力筐体両壁に貫通させ、その移動によって入力筐体内の流体の開放移動と停止気密制御するバルブ機構に関するものである。
【背景技術】
【０００２】
従来のバルブ機構の多くは、入力導入口とは別に排出口を設けその排出口を塞ぐ様に傘状の弁部をもつバルブを使用するものである。以下、図４により従来のバルブ機構について説明する。本方式によると、傘状バルブ１０は停止密封状態において流体の圧力とバルブ閉鎖スプリング１１によって閉鎖状態を保っている。この状態から開放移動状態にするには、傘状バルブ１０を外力によって右方向に押し出すと、傘状バルブ１０に塞がれていた排出口から流体を排出するものである。
【発明の開示】
【発明が解決しようとする課題】
【０００３】
解決しようとする課題は、傘状バルブを用いた機構では、流体の移動を停止させるためには、その傘部をバルブ閉鎖スプリングと流体の圧力によって排出口に押し付けて閉鎖し、流体を移動を再開させる為にはバルブの軸部に外圧を加え、弁部を排気口から持ち上げて開放するものであるため、閉鎖力と気密性には優れるものの、開放させるには強い外力が必要であり、更に開放時間を延長させる為には、これらの閉鎖させようとする力を上回る外力で軸部に力を加え続けねばならず、軸部を固定する為のカムやロック機構が必要となる為、内部機構が複雑になるという欠点があった。
【課題を解決するための手段】
【０００４】
本発明は、以上の課題を解決するためになされたもので、シャフト状のバルブを筐体両壁に貫通させ、シャフトバルブ移動によって気室内の流体の開放移動と停止気密制御する事を最も主要な特徴とする。
【発明の効果】
【０００５】
本発明のシャフトスライド式バルブ機構は、一旦外力によって、バルブを開放状態にすれば、開放状態を保つ為のロック機構やカム機構などの複雑な仕組みを必要としない利点がある。
【発明を実施するための最良の形態】
【０００６】
筐体内の流体自身の圧力でバルブ軸が気室外へ押し出されようとする力を分散中和させるため、バルブ形状を傘状の弁部を持たない軸部だけのシャフト状として、気室隔壁を貫通させた。この状態で筐体内の流体は停止気密されている。このとき、筐体内の両貫通口に挿入されているシャフト両端が同径、同形状であれば、シャフトにかかる流体圧力が筐体内容積を拡張する為シャフトを筐体外に押し出そうとしても、シャフトの移動によって筐体内容積は変化しない為シャフトは停止している。流体を開放移動させる際は、筐体両壁にある貫通口から外部に露出している軸部のどちらか一方を引き込むと反対側の貫通口に入り込んでいたシャフトが引き抜かれ、その貫通口が排出口となる。この構造により、シャフトは閉鎖用スプリングを必要とせず、また、弁側となったどちらか一方のシャフト軸端が排出口を開放すると同時に、筐体内の流体圧力によってシャフト全体はより開放する方向に移動させられる。従って、一度開放させられると、その後の継続した外力を必要とせずにバルブを開放し続けることが可能となる。
【実施例１】
【０００７】
図１は閉鎖密封状態のシャフトスライド式バルブ機構の内部構造である。気室筐体１に対し入力導入口２から流体が導入される。また、入力筐体１の両端には、左排出口３及び右排出口４が設けられている。シャフトバルブ５は左排出口３及び右排出口４を塞ぐように挿入されており、閉鎖密封状態では、入力導入口２から導入された流体は入力筐体１内に充填され、入力筐体１の内壁及びシャフトバルブ５に圧力を与えて、静止状態を保っている。
【０００８】
図２は、外力によってシャフトバルブ５が左方向に引き出され、閉鎖密封状態から開放移動状態になった図を表している。この状態において、入力筐体１内に充満され、密封状態となっていた流体を右排出口４を通じて一気に放出しようとする。同時に、流体の圧力によって気室筐体１内の容積を広げようと働く為、シャフトバルブ５をより左方向に排出しようとする。なお、シャフトバルブ５が外力によって右方向に引き出された場合も同様である。
【実施例２】
【０００９】
図３はシャフトバルブの右端が左端に比べて細くなっているもの（以下、異径シャフトバルブ６）を使用した場合である。図１と同様に左排気口３及び右排気口４には、弾性の漏出防止パッキン７が設けられおり密封性が高くなっている。入力導入口２から流体が導入されると、異径シャフトバルブ右端９が異径シャフトバルブ左端８より細くなっているので、流体の圧力よって入力筐体１の容積を拡大させようとする為、異径シャフトバルブ６が圧力によって徐々に左方向に移動することになる。最終的に異径シャフトバルブ右端９が入力筐体１内に引き込まれ、開放移動状態へ移行することとなる。
【図面の簡単な説明】
【００１０】
【図１】閉鎖密封状態でのシャフトスライド式バルブ機構の概念図を表したものである。（実施例１）
【図２】開放移動状態でのシャフトスライド式バルブ機構の概念図を表したものである。
【図３】異径シャフトバルブを使用したシャフトスライド式バルブ機構の概念図を表したものである。（実施例２）
【図４】従来のバルブシステムについての概念図を表したものである。
【符号の説明】
【００１１】
１    入力筐体
２    入力導入口
３    左排出口
４    右排出口
５    シャフトバルブ
６ 異径シャフトバルブ
７ 漏出防止パッキン
８ 異径シャフトバルブ左端
９ 異径シャフトバルブ右端
１０ 傘状バルブ
１１ バルブ閉鎖スプリング
【図１】
2006307928.tif 000003
【図２】
2006307928.tif 000004
【図３】
2006307928.tif 000005
【図４】
2006307928.tif 000006
(57)【要約】      （修正有）【課題】より完全燃焼を、低公害、低燃費、高出力を、目指して、効率のよい燃料と空気の混合を、磁気の相互作用を、活用させる。【解決手段】その方法として、燃料と、空気を、それぞれ磁力線の中を、通過させて、磁気感応させる。燃料を、磁力のＮ極側を反応させて、分子レベルで、Ｎ極化させて、空気を、磁力のＳ極側を反応させて、分子レベルで、Ｓ極化させる。磁力の、Ｎ極とＳ極の、互いに引き合う力を活用して、悪条件の中でも完全混合させて、熱効率を向上させる。【選択図】  図１
2006307819.tif 000002
【特許請求の範囲】
【請求項１】
エンジン全般の、燃料と空気のそれぞれに、磁力を、互いに引き合う磁極で磁気感応させて、完全混合を目指し燃効率を上げ、低公害、低燃費、高出力を、求めるものです。
【発明の詳細な説明】
【技術分野】
【０００１】本発明は、特に、エコロジー時代エンジンの、低公害、低燃費、高出力を、求めるものです。
【背景技術】
【０００２】これまでこの様な、低公害、低燃費、高出力を求めながら、安価で、簡素になる構造の物は無かった。
【発明の開示】
【発明が解決しようとする課題】
【０００３】エンジン燃料混合を、低速から高速まで、安定した熱効率を求めるのは、難しくそのため、低公害、低燃費、高出力を求めると、高価で複雑な構造にした物が多かった。
【課題を解決する手段】
【０００４】より完全燃焼を目指して、燃料と空気を、混合させて、高出力得る方法として、磁気作用を、活用させる。その方法として、燃料と、空気を、磁力線の中を通過させて、磁気感応させる。
燃料を、磁力のＮ極側を反応させ、分子レベルで、Ｎ極化させて、
空気を、磁力のＳ極側を反応させ、分子レベルで、Ｓ極化させる。
磁気の磁極、Ｎ極とＳ極の、お互いに引き合う力によって、燃料と空気を、より完全混合させて、熱効率向上を目指す事ができました。
燃料と空気が、分子レベルでＮ極化又Ｓ極化したと感じたのは、磁極が反発しあう、Ｎ極とＮ極又Ｓ極とＳ極、というセッティングにしたときにエンジンが、不調になり出力が落ちたようでした。
【発明の効果】
【０００５】個人の自家用車の実験データになりますが、燃料消費率、出力、共にかなりの効果が出ました。  体感的には、装備後、過給機を装備した、ターボ車や、スーパーチャージャー車のようでした、また、燃料消費も、３割程向上しました。
【０００６】自家用車は、メーカーの、カタログデータによりますと、出力１９０馬力／７６００回転です。出力は、民間の、ダイナパックプロＶ５と言うエンジン出力測定器で、計測しました。（自動車メーカーとダイノパックのデータ比は、換算係数、約１．３１倍）と聞いています。  測定の結果、装着前は、約１４５馬力、換算係数約１．３１倍すると、約１８９．９５馬力で、自動車メーカーの出力公表値、１９０馬力と対比すると、ほぼ一致しました。  装着後は、約１６５．２馬力で、換算係数約１．３１倍すると、約２１６．４１馬力でした。  その結果、自動車メーカー出力公表値を、約２６．４６馬力向上しました。  これにより、同じ燃料消費で高出力を得たので、車のギア比などを高く設定できるので、低燃費、低公害を、実現できると思われます。
【実施例】
【０００７】燃料と、空気を、それぞれ磁気感応させた混合気を、完全燃焼させるために、市販の小型で、強力な、ネオジム磁石を、使いました。約５ｍｍ＊５ｍｍほどの大きさで、磁力２５００ガウスを、リング状にして燃料パイプに、磁力線の中Ｎ極側を通過させるように取り付ける。空気が通るエアダクトには、磁力線の中Ｓ極側を通過させるように取り付ける。磁力の強さによりますが、燃料パイプ側には、１か所から２か所以上で、エアダクト側は、外径が、大きく磁力が受けにくい部分が出るので、２か所から３か所以上取り付ける。
マグネットを、リング状にしたのは、中心部分に向かってより強力な磁力を発揮したからです。
【図面の簡単な説明】
【０００８】
【図１】燃料パイプに、ネオジム磁石Ｎ極側を、リング状にして取り付けたものです。
【図２】エアダクトに、ネオジム磁石Ｓ極側を、リング状にして取り付けたものです。それぞれに、パイプバンドで固定しました。
【図１】
2006307819.tif 000003
【図２】
2006307819.tif 000004
(57)【要約】【課題】少なくとも１つのカム（１５）と、ローラ（１７）を有する少なくとも１つのロッキングアーム（１６）とを備え、１つの或いは各ロッキングアームのローラがカム上を転がり、該転がり運動に関係して、燃料噴射ポンプのプランジャ（１１）が、該プランジャに付属したプランジャローラ（２１）を介して制御ないし作動される内燃機関の燃料噴射ポンプの少なくとも１つのプランジャの制御装置に関し、プランジャへの力の導入のために装置に加わる機械的負荷を低減し、磨耗を防止する。【解決手段】本発明に基づき、１つの或いは各プランジャのプランジャローラが、それに対応したロッキングアームのローラ上に直に接して転がるようにする。【選択図】図１
2006307849.tif 000002
【特許請求の範囲】
【請求項１】
少なくとも１つのカム（１５）と、ローラ（１７）を有する少なくとも１つのロッキングアーム（１６）とを備え、１つ或いは各ロッキングアーム（１６）のローラ（１７）がカム（１５）上を転がり、その転がり運動に関係して、燃料噴射ポンプのプランジャ（１１）が、該プランジャ（１１）に付属されたプランジャローラ（２１）を介して制御ないし作動される、燃料噴射ポンプの制御装置、即ち、内燃機関の燃料噴射ポンプの少なくとも１つのプランジャ（１１）の制御装置において、各プランジャ（１１）のプランジャローラ（２１）が、それに対応したロッキングアーム（１６）のローラ（１７）上を直に接して転がることを特徴とする燃料噴射ポンプの制御装置。
【請求項２】
１つの或いは各プランジャ（１１）のプランジャローラ（２１）が、それに対応したロッキングアーム（１６）のローラ（１７）上を連続して転がることを特徴とする請求項１記載の装置。
【請求項３】
プランジャ（１１）を制御するための力が、カム（１５）からロッキングアーム（１６）のローラ（１７）を介して、プランジャローラ（２１）およびプランジャ（１１）に直接伝達されることを特徴とする請求項１又は２記載の装置。
【発明の詳細な説明】
【技術分野】
【０００１】
本発明は請求項１の前文に記載の燃料噴射ポンプの制御装置に関する。
【背景技術】
【０００２】
カムに付属したカム曲面の運動がロッキングアームを経て内燃機関の燃料噴射ポンプのプランジャに伝わる従来公知の燃料噴射ポンプの制御装置の場合、プランジャを制御するための力の導入は、ロッキングアームに付属したローラがカム上を転がることで生ずる。該転がり運動のためロッキングアームがその回転軸線を中心として揺動し、ロッキングアームのローラの横に回り止めして置かれた壁が、ロッキングアームの揺動運動をプランジャに付属されたプランジャローラに伝達し、この結果最終的に、制御すべきプランジャと協働するプランジャローラの振動、ステップないし段階運動が生じる。このようなプランジャへの力の導入は、装置全体が大きな機械的負荷を受け、摩耗が生ずる欠点がある。
【発明の開示】
【発明が解決しようとする課題】
【０００３】
上述の点から出発し、本発明の課題は、新しい燃料噴射ポンプの制御装置を提供することにある。
【課題を解決するための手段】
【０００４】
この課題は請求項１記載の燃料噴射ポンプの制御装置によって解決される。本発明に基づいて、各プランジャのプランジャローラは、それに対応したロッキングアームのローラ上を直に接しつつ転がる。
【発明の効果】
【０００５】
本発明において、制御すべきプランジャを作動するプランジャローラは、それに対応したロッキングアームのローラ上を直に接して転がる。この結果、プランジャへの改善された力の導入ないし最良の力束（パワーフロー）が生ずる。本発明に基づく燃料噴射ポンプの制御装置は、小さな機械的負荷しか受けず、従って、僅かしか摩耗しない。
【発明を実施するための最良の形態】
【０００６】
本発明の有利な実施態様を、従属請求項および以下の説明から明らかにする。
【０００７】
以下、図１と２を参照し実施例を詳細に説明するが、本発明はこれに限定されない。
【実施例１】
【０００８】
図１は、内燃機関特にコモンレール式ディーゼルエンジンにおいて燃料を高圧供給する燃料噴射ポンプのプランジャ１１の本発明に基づく制御装置１０を示す。制御すべきプランジャ１１はガイド１２内に支持され、長手軸線１３の方向に移動する。プランジャ１１のガイド１２に、燃料噴射ポンプを結合するための所謂中間部材１４が接続されている。
【０００９】
本発明によるプランジャ１１の制御装置１０は、図１の如く、カム曲面２３付きの少なくとも１つのカム１５を有し、該カム１５は、図示の実施例では、所謂三重カムとして形成されている。ロッキングアーム１６に付属するローラ１７が、カム１５上又はカム曲面２３上を転がる。このローラ１７は、ロッキングアーム１６の一端１８に回転可能に支持され、ロッキングアーム１６は、反対側端１９にある回転中心２０を中心に揺動する。
【００１０】
プランジャローラ２１は制御すべきプランジャ１１と協働する。該ローラ２１はプランジャ１１により規定された室２２内に置かれ、該室２２内に回転可能に支持されている。本発明に従って、プランジャローラ２１はロッキングアーム１６のローラ１７上を直に接して転がり、このためプランジャローラ２１はロッキングアーム１６のローラ１７上を連続して転がる。従って、プランジャ１１を制御するための力は、カム１５からロッキングアーム１６のローラ１７に伝わり、該ローラ１７からプランジャローラ２１に直接伝わって、最終的にプランジャ１１を作動させる。カム１５からローラ１７を介してのプランジャローラ２１への直接的な力の導入により、所謂接触垂線力の良好な方向角が生ずる。本発明に基づく装置では僅かな摩耗しか生ぜず、僅かな摩擦損失しか存在しない。
【００１１】
本発明に基づく装置は、単一カム系統並びに多重カム系統、更には内燃機関に燃料を高圧供給するためのあらゆる形式のピストンポンプに利用される。
【図面の簡単な説明】
【００１２】
【図１】本発明に基づく燃料噴射ポンプの制御装置の断面図。
【図２】図１における装置の図１に対して９０°回転した状態の断面図。
【符号の説明】
【００１３】
１０  制御装置、１１  プランジャ、１２  ガイド、１３  長手軸線、１４  中間部材、１５  カム、１６  ロッキングアーム、１７  ローラ、１８  ロッキングアームの一端、１９  ロッキングアームの他端、２０  回転中心、２１  プランジャローラ、２２  室、２３    カム曲面
【図１】
2006307849.tif 000003
【図２】
2006307849.tif 000004
(57)【要約】      （修正有）【課題】発電機を回し発電するのに燃料が全く不要であり，従って資源枯渇の不安は無く又放射性廃棄物、ＣＯ２等による環境汚染のおそれも無い発電装置の提供。【解決手段】テコの原理による大きな、重力差を得るため、大径ロール１の支点を発電機１０のプーリ５と、大径ロールの始動時のみ補助モータ８で回すサポートロール６で、大径ロールの右辺に寄せて支持する。その大径ロールの溝２に、大径ロールの中心線に対してある角度を持って液体４を入れた筒型羽根３を数個固着し、その固着した筒型羽根の内、水平近くに来た左右２個の筒型羽根の傾斜に沿って、内部の液体が右から左に移動し、常時テコの原理が働きそのテコの原理による回転力が、大径ロールに反時計方向の回転力を与え、無燃料でプーリ及び発電機を回し発電する。【選択図】図２
2006307822.tif 000002
【特許請求の範囲】
【請求項１】
（図２）の様に大径ロール（１）の支点は発電機（１０）のプーリ（５）と始動時のみモータ（８）によって回すサポートロール（６）の２点によって、より大きな重力差を得るため大径ロールの一方の辺の内と外から支持する。
【請求項２】
（図２）の様に大径ロールの溝（２）に、大径ロールの中心線に対して、ある角度を持って一定方向に液体（４）を入れた筒型羽根（３）を固着する。
【請求項３】
（図２）の様に固着した数個の筒型羽根の内、水平近くに来た筒型羽根の液体が、筒型羽根の傾斜に沿って右から左に移動し、支点に対して左右の液体の重力に大きな重力差が生じ、それがテコの原理となって働き、大径ロールに連続的に反時計方向の回転力を与え、プーリ及び発電機を回し発電することを特長とする発電装置。
【発明の詳細な説明】
【技術分野】
【０００１】本発明は発電機をテコの原理で回転させる方法に関する。
【背景技術】
【０００２】発電機の回転方法には大別して次の４つがあります。
先づ原子力発電はウランによる核融合反応で発生した熱で、蒸気発生器を加熱し発生した蒸気で、タービンと発電機を回し発電する。
又火力発電は、重油及び石炭を燃焼させボイラーを加熱し、発生した蒸気で同じくタービンと発電機を回し発電する。
水力発電はダムの水位の高低差を利用した水流でもって、水車と発電機を回し発電する。
風力発電は風力で、風車と発電機を回し発電する。
【発明の開示】
【発明が解決しようとする課題】
【０００３】原子力発電及び火力発電は燃料であるウラン、重油、石炭等資源枯渇の不安又放射性廃棄物、ＣＯ２等による環境汚染の問題、水力発電及び風力発電には立地及びコストの問題等、多くの難題を抱えております。
【課題を解決するための手段】
【０００４】（図２）の様に大径ロール（１）の溝（２）に、大径ロールの中心線に対してある角度を持って、液体（４）を入れた筒型羽根（３）を一定方向に向けて、数個固着する。
その固着した数個の筒型羽根の内、水平近くに来た大径ロールの左右２個の筒型羽根の傾斜に沿って、内部の液体が右から左に移動し、大径ロールの支点の左側の筒型羽根はそれぞれの位置に相応した、大きなテコの原理が働き、右側の筒型羽根はテコ部分が短かくテコの原理が極小のためトータル的に大径ロールに左回転の方向に大きな重力が掛り、連続的に反時計方向の回転力を与えプーリ（５）及び発電機（１０）を回し発電する。
又大径ロールの始動時は大きなトルクを必要とするので、始動時はサポートロール（６）のモータ（８）を回し始動を助け、加速がつくとモータを切り離し止める。
【発明の効果】
【０００５】本発明の効果は発電機を回し発電するのに燃料が全く不要であります。
従って資源枯渇の不安は無く又放射性廃棄物、ＣＯ２等による環境汚染のおそれも無い。
その上水力発電及び風力発電の様に立地の問題も無く、最終需要地のビルの地下でも屋上でも設置可能で、コストの面からも有利であります。
【発明を実施するための最良の形態】
【０００６】（図１）の様に図の右から発電機（１０）、軸受（９）、発電機のプーリ（５）とサポートロール（６）によって支えられて、テコの原理で回転する大径ロール（１）その大径ロールの溝（２）に大径ロールの中心線に対して、ある角度を持って一定方向に液体（４）を入れた筒型羽根（３）を数個固着する。大径ロールの始動時始動トルクが非常に大きい力で、始動時のみサポートロールをモータで回し、大径ロールに加速がつき回り出すとモータを切り離し止める。
次に（図２）の様に大径ロールが回転し順次水平近くに来た筒型羽根の液体が、筒型羽根の傾斜に沿って右から左に移動し常にテコの原理が働き、大径ロールに重力による反時計方向の回転力を与えプーリ及び発電機を回す構造であります。
【図面の簡単な説明】
【０００７】
【図１】
【０００８】装置の正面図【図２】
【０００９】装置の側面図
【符号の説明】
１  大径ロール
２  大径ロールの溝
３  筒型羽根
４  液体
５  発電機のプーリ
６  サポートロール
７  サポートロールのフレーム
８  補助モータ
９  軸受
１０  発電機
【図１】
2006307822.tif 000003
【図２】
2006307822.tif 000004
(57)【要約】      （修正有）【課題】  この発明は、ひったくりやスリ等の盗難を完全にシヤットアウトするために開発されたものである。【解決手段】  表面の巻き布板１に複数個の貴重品入れ２を設け、その左右両端には、係着部の止め具凹部６、同凸部８を載設し、表面と裏面の巻き布板の間には、傾斜板９を固着する。【選択図】図１
2006307401.tif 000002
【特許請求の範囲】
【請求項１】
表面の巻き布板１には複数個の貴重品入れ２を設け、その左右の両端には止め具６、８を載設し、表面の巻き布板１と裏面の巻き布板７の間の下半分には、傾斜板９を装着したことを特徴とする足に巻きつける防犯要具。
【発明の詳細な説明】
【発明の詳細な説明】
近年、ひったくりやスリ等の被害が多発していることは周知の事実である。また、海外旅行においての置引き等の被害も、甚大なものになっている。
こうした卑劣で残忍な犯罪を完全に防禦する手立てはないものかと模索した結果、開発されたのが本発明である。
それを、図面を参照しながら説明すると、図１に示すように、表面の巻き布板１には複数個の貴重品入れ２を設けているが、これには現金をはじめ、パスポート、預金通帳、運転免許証、カード、印鑑、鍵類等さまざまなものを納入することができる。
完全を期す為に、貴重品入れ２の上部には冠着部３を設けている。これは、双方（４、５）を密封することによって、不純物の侵入を防ぐ役目を果している。
右端には係着部の止め具凹部６を設けているが、これは図２の裏面の巻き布板７の右端に設定している係着部の止め具凸部８と密嵌させるためである。止め具は何もボタン式だけでなく、巻き布板の材質によって、フック式、あるいはマジックテープなど、その方法は多様であり、足をしっかりと巻着する効果は遜色がない。
図１の係着部の止め具凹部６を４列に渡って設定しているのは、各自の足のサイズに合わせて、自由に調整できるように配慮した結果である。
傾斜板９の目的は、ふくらはぎの太さと足首の太さの比高差をカモフラージュするためである。そうすることによって、貴重品入れ２の形をできるだけ垂直に近いものにすることができる。
折りかえし１０は、この傾斜板９に被着させることによって、やゝもすれば距骨や般骨にくい込みがちな状態を、係止させる役目をになっている。
切り込み１１は、巻着したときに両端が突起するのを防ぎ、際を水平に保つように具現化を図ったものである。
図３は本発明の使用状態を示した側面図であるが、これを両足に巻着するのであるから、数百万円の札束は収納可能となる。
男性の場合は一年中ズボンを穿いている。このため、本発明品を巻着していても、傍目には全くわからない─これが本発明の最大の味噌になっている。
その点、女性はスカート姿が多いため、露見することになる。従って、二の足を踏みがちになるかもしれないが、防犯と同時に、フアッシヨンとしても充分に通用するということを銘記して欲しいものである。
ひるがえって、別の観点からいうと、本発明を巻着して歩行すると、その度ごとにマッサージを加えているような反復作用が生まれてくる。そのため、連鎖反応として、血の流れが非常に良くなってくるのである。お陰で、足の疲労感は忘却され、歩行自体が軽やかなものになってくるという、誠にありがたい、連枝にも似た効果が発芽してくるという点を考慮していただければ幸いである。
本発明の主眼とするところは、正に防犯と同時に、足の健康維持と活性化に役立つという点にある。
【図面の簡単な説明】〔図１〕
本発明の表面斜視図
〔図２〕
一部を剥脱状態にした本発明の裏面斜視図
〔図３〕
本発明を足に巻着した状態を示す側面図
【符号の説明】
１は表面の巻き布板
２は貴重品入れ
３は冠着部
４は止め具凸部
５は止め具凹部
６は係着部の止め具凹部
７は裏面の巻き布板
８は係着部の止め具凸部
９は傾斜板
１０は折りかえし
１１は切り込み
【図１】
2006307401.tif 000003
【図２】
2006307401.tif 000004
【図３】
2006307401.tif 000005
(57)【要約】【課題】今現在の養生材は、ある程度の企画の大きさで生産されており、現場などでの使用の際は現状に合わせて寸法を計り、カッターなど道具を用いてカットしている。【解決手段】本発明はある程度の間隔で細かいミシン目の入った養生材の形状で、状況に応じて適度な大きさに容易にカットする事が出来る。また処分の際にも細かく簡単にカット出来る。【選択図】  図１
2006307418.tif 000002
【特許請求の範囲】
【請求項１】
現場に応じて、手で簡単にカットしたり折ったり出来るようにする為にある間隔でミシン目の入った、養生材の形状
【発明の詳細な説明】
【技術分野】
【０００１】本発明は、ある程度の間隔で細かいミシン目の入った養生材の形状である
【背景技術】
【０００２】今現在、建築現場などで使用されている養生材は一枚もので、ある程度の企画寸法で製造されており、場合によっては現場でカッターなどを使用し、その場にあう形にカットするのが一般的である。
【発明の開示】
【発明が解決しようとする課題】
【０００３】現場の状況に応じて、非常に用意にカットしたり折り曲げたりする事が出来るようにする
【課題を解決する為の手段】
【０００４】ある程度の間隔でミシン目を入れておくことによって、使用する場所にあった形に現場で簡単にカットする事が出来る。さらに使用が終わった際に、容易に同じ大きさにコンパクトにまとめる事が出来る
【発明の効果】
養生をする現場の形状は現場によって異なり、一定の企画で生産されている養生材の大きさがぴったり納まる事はほとんどない、半端な場所がでたり、障害物があったりする。そこで今まではカッターなどの道具を用いて、現場でカットしていたのであるが、面倒な作業で思うようにカット出来なかったり、誤って内装を傷つけてしまったりする。また養生材の使用が終わり、搬出の際にはそのままの大きさ（一般的には１８００×９００）のままだと仕上がった内装を傷つけてしまう恐れがある。また、玄関ドアや窓からの搬出などの際にも、そのままの大きさだと非常に困難である。本発明である養生材の形状であれば、道具を使用する事なく、状況に応じての現場でのカットが容易に出来る上に、搬出の際は同じ大きさに容易にカット出来る。よって作業効率が大幅に上がり、現場を傷つける危険が大幅に減るのである。
【発明を実施する為の形態】
【０００５】以下、本発明の実施例について説明する。
【図面の簡単な説明】
【０００６】
【図１】このようにある程度の間隔で細かいミシン目が入っている
【図２】このように複雑な障害物などがあった場合、今までは寸歩を計って、カッターなどでカットしなければならなかったが、簡単に現場にあわせ手で切ったり折ったりする事が出来る。まった立体の物に対しても、それにあわせて簡単に折り曲げる事が可能なのである。
【図３】このように、処分の際には同等の大きさで小さく簡単にカットする事が出来る。
【図１】
2006307418.tif 000003
【図２】
2006307418.tif 000004
【図３】
2006307418.tif 000005
(57)【要約】【課題】洗剤を、化粧用スポンジ類を洗う時、何で洗えば汚れが落ち、きれいになるか考えて、今出回っている洗剤類で済まさなければならないという不都合を、解決すること。【解決手段】種類の一部を、又は全面的に改良又は開発することにより、この課題を解決する。【選択図】「なし」【特許請求の範囲】
【請求項１】
種類を改良、開発することによって、化粧用スポンジを、つけおき洗によって簡単に汚れ落としができるようにしたことを特徴とする洗剤。
【発明の詳細な説明】
【技術分野】
【０００１】  本発明は、洗剤に関するものであり、洗剤の種類からヒントを得て工夫をこらすことによって、洗剤が、化粧用スポンジ等のような、しつこい汚れを、つけおき洗いするだけで、きれいになるようにしたものです。
【背景技術】
【０００２】  従来から、洗剤用具として、柄の種類が洗たく用、台所用、洗顔用等の洗剤が利用されている。この例として、特許文献１や、非特許文献１に開示されているものがある。
【特許文献１】私は存じません。
【非特許文献１】私は存じません。
【発明の開示】
【発明が解決しようとする課題】
【０００３】  しかし、従来のような種類のさまざまな洗剤では足りず、化粧用スポンジ類を使い捨てしない為には、今ある洗剤の中から洗わなければならず、非常に不便です。本発明は、このような洗剤を、今ある洗剤の中から、何とか済ませなくてはならないという不都合を解決することを課題とします。
【課題を解決するための手段】
【０００４】  この課題を解決するための請求項１の発明は、今ある種類の中から改良又は開発することによって、化粧用スポンジをつけおき洗いするだけで、きれいにすることを特徴とする、つけおき洗い化粧用スポンジ洗剤です。使用する事で、汚れた化粧用スポンジ類を、きれいに洗うことによって、使い捨てしてしまう可能性を防止できます。
【発明効果】
【０００５】  本発明により、今出回っている洗剤の中から、何とかして化粧用スポンジの汚れを落とし、きれいにしなければならないという不都合はおきず、洗剤の巾が広がり、手間もかからなくなり、使い捨ても防止できる。
【発明を実施するための最良の形態】
【０００６】  これらの洗剤の材料は、通常のものがあれば、それを利用しても良いが、必要あれば更に他の種類の材料を使用又は組み合せ、開発、改良してもよい。
【産業上の利用可能性】
【０００７】  本発明に係る洗剤は、工業的に量産することが可能であるため、産業上の利用可能性を有する。
(57)【要約】      （修正有）【課題】人口の増加と生活文明の増進は限りなき生活用水の需要増大をもたらす。しかし、何処の国においても水資源には自ずと限りが在る。斯くて、節水は人類永遠の課題となった。流し放しを可能な限り止める今日的解決策を、蛇口にて実現する手段を提供する。【解決手段】手の出し引きで以て、自動的に出水・止水する自動蛇口を設けた、或いは組み合せた、家庭用の「自動蛇口式洗面台」や「自動蛇口式洗手装置」等とする。【選択図】なし【特許請求の範囲】
【請求項１】
手の出し引きで以て、自動的に出水・止水する、自動蛇口を設けた或いは組み合せた、家庭用の「自動蛇口式洗面台」や「自動蛇口式洗手装置」  等。
【請求項２】
「請求項１」における「家庭用自動蛇口式洗面台」等における「自動蛇口」をも設けた、「自動蛇口併設流し台」。
【請求項３】
指で以て押す段階によって出水速度が段々速くなり、希望速度になって指を離すとその出水状態が継続し、止水する場合には何処かを押すと宜しいようにした、「流速調節可能ノック栓式蛇口」。
【請求項４】
所謂「レバー栓（コック）式蛇口」であるが、そのレバーを、従来の横式から、縦に設けうるようにして設けた、「縦式レバー栓（縦コック）式蛇口」。
【請求項５】
「請求項３」における「流速調節可能ノック栓式蛇口」や「請求項４」における「縦式レバー栓（縦コック）式蛇口」を設けた或いは組み合せた、流し台などの「水回り（建物の中で、水を使う部分。台所・洗面所・風呂場など）機器」。
【発明の詳細な説明】
【発明の詳細な説明】
私は、昨日、「スーパーふじ」のトイレで、電磁波乾燥して強張る顔を軽く洗面していて気づいた。この自動蛇口を家庭の洗面台に使用すると、両手に水を受けて顔に運ぶ度に自動的に蛇口が止まるので、流し放しで顔を洗う場合に比べて大幅に節水的になると。
そこから、普遍して、家庭内の全ての蛇口を自動式に替えると、極めて節水効果が上がるに違いと考えた。しかし、洗面の場合のように、手を差し出したり引っ込めたり為ない場合つまり器を蛇口の下において蛇口を開ける場合などにはどうも上手く行きそうに無い。
従って、家庭内の洗面用と手洗い用の蛇口を、また食器の濯ぎ用蛇口を、自動式にしうる位のことになる。その他は、螺子式をレバー式とかノック式とかに替えて少し便利にするしか今の所では好い方法は無いように思える。この場合、レバー式は場所を取るのでノック式がベターと言えよう。
しかし、現在のノック式では、出水速度を調節できない。そこで、出水速度を見ながら指で押して居て希望速度になると、指を離すと放出が続き、また何処かを押すと止水できるようにしたい。
また、従来の横移動式レバー式に代えて、レバーを縦に取り付けると、左記のノック式の便利さに近い物に成ろう。勿論、これらは、業務用にも使用して貰いたい。
水道水の不足は、世界的な公益問題である。是非、優秀な物を開発して、世界の水問題に応えたい。それば、莫大な仕事と職を非先端技術的に働きたい人々に与えることになる。
そして、特に、台所流し台と洗面台とトイレ内洗手機器とには、取り替え需要が喚起されよう。従来のこれらは、プラスチック製で貧弱であった。金属製に替えて、再出発して貰うことになろう。その場合、水道工事は、簡単にその接続部が誰にも解除できるように便利な方法で以て施工して貰いたいものである。また、販売施工業者は、自己のモラルを同和思想抜けして、誰からも安心して依頼を受けうるように再生再建して貰いたい。
一昨日であったか、岩波新書の「福沢論吉」（小泉信三）と「韓国併合」（海野福寿）を読み、明治４３年（１９１０）の韓国併合が、「「為政以徳」の韓国首脳陣に対して、当時の日本国首脳陣の一部が「野蛮を敢行した」ことが深く理解される（３０頁）。一国の政府が偽民主主義を自己の為に振り回した挙げ句、国民の生活実態から浮き上がり疎外感に苛まれると、その逃亡策として、隣国を同和的に蹂躙し出すことがよく理解される。外国兵器メーカーの傀儡的な武力強圧外交交渉の日本陣に「徳を以てくれ」と要望する以外に無かった様子であったようである。その後の日本の東亜諸国に対する外交態度は全て斯かるものであったと言えるようである。結局、福沢論吉が代表的である「脱亜入欧」主義は、日本の新支配階級がそうたり得た所以の外国兵器資本の傀儡的強行使用者たらんとし続ける歴史をもたらした以外の何物でも無かったようである。革命とは、斯かるものであり、斯かる枷を後世に義務つけるものであるらしい。
邪悪な武器文明に溺れ込むことなく、「徳を以て為す」ことの可能な民生文明の開拓にアジアは勇猛果敢となって、武器文明の枷から脱出し、人の道に生きて行けるように成りたいものである。
(57)【要約】【課題】  壁下地枠組を構成するに際し、工場加工に頼る事無く、現場で簡単に正確な壁下地枠組が時間を掛けずに組み立てることができる工法を提供する。【解決手段】  一定の間隔に間柱等軸組材固定用支持片を設けた間柱等軸組材幅の金属製の間柱等軸組材固定板を壁を構成する下地材（間柱等軸組材）の上下端に配置、間柱等軸組材固定板の一対の固定用支持片の間に嵌め込み釘、ビス等を用い緊結する。  上下端に取り付けられた間柱等軸組材固定板は同一寸法のものを用いる事により、その配置間隔等が墨付けなどの事前作業を行なうこと無く釘、ビス等で緊結出来るため、自然の内に熟練した技術を要さずに正確な壁下地枠組を組み立てることが出来、間柱等軸組材は長さが一定となり特殊な加工も必要としないため市販材料を使用する事が出来る。【選択図】  図５
2006307614.tif 000002
【特許請求の範囲】
【請求項１】
壁の構成部材は金属又は、木材等を用い下枠、間柱、上枠等軸組材により、組み合わせ構成されるが、この下枠、上枠部分に金属板を用い、間柱等の位置に間柱等の幅と同幅の切り込みを入れ、その中心部分からその部分を立て起し、間柱等軸組材の固定用支持片とした金属製間柱等軸組材固定板を用いた壁下地組工法。
【請求項２】
木材等の下枠、上枠の代わりに採用された間柱等軸組材の固定板の立て起こされた固定用支持片に間柱等軸組材を差し込み固定することにより下枠、上枠に位置出しの墨付けを行なう事無く間柱等軸組材の上下位置を正確に固定し組み立てることの出来る金属製の間柱等軸組材固定板。
【発明の詳細な説明】
【技術分野】
【０００１】  本発明は、建築物における間柱等軸組材と上下枠材等を墨付けなどの事前作業をすることなく正確に固定することの出来る金属製固定板を用いた壁下地組工法に関するものである。
【背景技術】
【０００２】  建築物の壁を構成する場合、間柱等軸組材の下地材を上下枠間又は横架材間の所定の位置に正確に配置し上下枠表面及び横架材から釘、ビス等を用い留めつけるか、又は横架材に間柱等軸組材と同幅の欠取りを事前に機械等の加工機により設けておき、その欠取りに間柱等の軸組材を嵌め込み釘等により留めつけるのが一般的である。
【発明が解決しようとする課題】
【０００３】  間柱等軸組材を固定し壁の下地枠組を作製する場合、構造材等と結合する場合は構造材（横架材）に工場等で事前に機械加工等により、欠取りを設けその部分に間柱等軸組材を嵌め込み固定できるが、その他の場合には上下枠に間柱等の位置を（墨付け）一本毎に書き込み間柱等の軸組材を正確に配置し固定しなければならない。
【０００４】  本発明は、斯様な従来例の欠点を除去し、現場作業の効率化と時間短縮を図り、正確な施工を可能にするべく創案したものである。
【課題を解決するための手段】
【０００５】  金属製の一対の固定用支持片を一定間隔に有した間柱等軸組材固定板を上下枠の代わりに採用し、一対の固定用支持片の間に間柱等軸組材を配置し嵌め込み、間柱等軸組材固定板の固定用支持片から釘、ビス等を用い緊結固定する。
【０００６】  間柱等軸組材固定板に設けられている一対の固定用支持片は等間隔に配置されていることにより、従来例のような間柱等軸組材を取り付ける場合に正確を期するために行なわれている墨付けなどの位置決め作業をすること無く、正確に壁下地材の組み立てを行なうことが出来る。
【発明の効果】
【０００７】  本発明によれば、間柱等軸組材を用い壁下地を構成する場合、機械加工に頼る事無く、現場の墨付け作業等を省略し作業効率を向上させ、時間短縮を図るとともに、正確な壁を作ることが出来る。
【実施例】
【０００８】  図面は本発明に係る建築物における間柱等軸組材固定板による実施例を示し、図−１は間柱等軸組材固定板の平面図（部分）、図−２は同底面図、図−３は同右側面図、図−４は間柱等軸組材固定板を用いた壁枠組の実施例の斜視図、図−５は実施例の接合状態を示す斜視図である。【０００９】  図中１は間柱で、その上下には間柱等軸組材固定板Ａ、Ａ’がとりつけられているが、固定板には取り付けられる間柱の幅に固定板の厚みを加えた切り込みが入れられ、その切り込みの中心にさら更に一本の切り込みが入れられ左右に立て起こされ若干内部に倒れさせた状態の固定用支持片Ｂが設けられている。【００１０】  この固定用支持片Ｂは間柱等軸組材の配置間隔と同間隔に設けられ、間柱等軸組材１は、その上下端の間柱等軸組材固定板Ａ、Ａ’に設けられた間柱等軸組材固定用孔Ｅ又は固定用支持片に設けられている孔Ｃから釘、ビス等により間柱等軸組固定板Ａ，Ａ’と緊結される。【００１１】  間柱等軸組材が一定間隔、即ち間柱等軸組固定板Ａ、Ａ’の一定間隔に設けられた固定用支持片に各々緊結されるが、その位置は間柱等軸組固定板Ａ，Ａ’に決められるため、従来行なっていた位置きめの墨付け等を行なうこと無く自然のうちに正確な間隔と位置に配置され固定される。【００１２】  正確に組み立てられた壁下地枠組は、間柱等軸組材固定板に開けられた固定用孔Ｄから釘、ビス等にて他の軸組材に緊結一体化される。
【図面の簡単な説明】
【００１３】
【図１】間柱等軸組材固定板部分平面図
【図２】同上底面図（上面図は上下対称に表れる）
【図３】同上右側面図（左側面図は左右対称に表れる）
【図４】間柱等軸組材固定板を採用した壁下地枠組の斜視図
【図５】間柱等軸組材固定板と間柱の緊結状態を示す斜視図
【符号の説明】
【００１４】１        間柱
Ａ        間柱等軸組材固定板
Ａ’      同上
Ｂ        固定用支持片
Ｃ        固定用支持片に設けられた間柱等軸組材固定用釘、ビス孔
Ｄ        間柱等軸組材固定板と他軸組材緊結用釘、ビス孔
Ｅ        間柱等軸組材固定板と間柱等軸組材緊結用釘、ビス孔
【図１】
2006307614.tif 000003
【図２】
2006307614.tif 000004
【図３】
2006307614.tif 000005
【図４】
2006307614.tif 000006
【図５】
2006307614.tif 000007
(57)【要約】      （修正有）【解決手段】  野地板5を合板等の面材に変えその裏面に通気層7を形成し、樹脂製断熱材2を取り付け、木製の枠無しパネルとした。  枠無し断熱二重通気層パネルは登り梁1（垂木）間に嵌め込むとその弾性変形性能により木材の粗面に追随密着し気密シール等を施さずに屋根面の気密断熱施工が完了させられ二次施工が無くなり工期の短縮等、施工の合理化が図れコストダウンを実現出来る。【効果】断熱材の弾性変形性能により登り梁や垂木と密着し木材の乾燥収縮による寸法変化にも対応出来、木枠付きパネルの欠点とされる重量の軽減が図れ、変形対応力のない木枠による気密漏れや断熱性能の低下、野地材裏面の通気層と屋根裏仕上げ面材裏面の通気層により温度差による結露等も防止出来る。【選択図】図５
2006307615.tif 000002
【特許請求の範囲】
【請求項１】
建築物の屋根を構成する野地板裏面に通気層を形成した樹脂製断熱材を取り付け樹脂製断熱材の弾性変形性能を利用し木材の粗面に密着させた枠無しパネルとし、パネルを登り梁、垂木間に嵌め込む事により、通気層が断熱材を挟んで野地板裏面側に形成され、更に小屋裏仕上げ材裏面との間に通気層が設けられたた二重通気層構造の小屋組みパネル。
【発明の詳細な説明】
【技術分野】
【０００１】  本発明は、建築物における小屋組みに用いる野地板に合板等の面材を用い断熱材を面材裏面に取り付け空間を確保し、通気層を設けた野地断熱通気パネルに関するものである。
【背景技術】
【０００２】  住宅等木造建築物の屋根を構成する場合、母屋材に垂木を固定し野地板を張りこんでいく方法が一般的であるが、近年合板等面材の性能の向上、多品種化によりこれら面材を使用する傾向が顕著であるが、断熱材を組み込みパネル化しているケースは必ずしも多いとは言えない。
【発明が解決しようとする課題】
【０００３】  野地板を面材に変えても断熱材等の施工が同時に完了しなければ、従来と同様の工程に止まるしかなく何ら施工上の合理化が図れない、又天井裏面に断熱材を敷設したのでは建築物一体として断熱化を図ることが出来ない。
【０００４】  本発明は、斯様な従来例の欠点を除去し、面材を用いた断熱通気層パネルのもつ合理性と高所作業を簡便に行なうべく創案したものである。
【課題を解決するための手段】
【０００５】  野地板に合板等の面材を用い、その裏面に断熱材で作った棒状のスペーサーを取り付けその上に板状断熱材を取り付けるが断熱材外周には木材等の枠材は設けない、これにより断熱材の弾性変形性能を利用し登り梁間、垂木間にパネルの断熱材部分を密着させることができる。
【０００６】  野地パネルの取り付けられる登り梁にはパネル断熱材受けの棒状断熱材が取り付けられており、仕上げ材であるボード類を張ることにより、屋根裏内部仕上げ材の裏面に更にもう一つの通気層が形成される。
【発明の効果】
【０００７】  本発明によれば、野地パネルに木材等の枠材を用いずに通気層付きの軽量断熱パネル化が図れ、更に断熱材の弾性変形性能により登り梁や垂木と密着し木材の乾燥収縮による寸法変化にも対応出来る。
【０００８】  更に、木枠付きパネルの欠点とされる重量の軽減が図れ、変形対応力のない木枠による気密漏れや断熱性能の低下、野地材裏面の通気層と屋根裏仕上げ面材裏面の通気層により温度差による結露等も防止出来る。
【実施例】
【０００９】  図面は本発明に係る建築物における枠無し断熱パネルを用いた屋根組の実施例を示し、図−１は枠無し断熱二重通気層パネルの平面図、図−２は同底面図、図−３は同右側面図、図−４は枠無しパネル取り付けた屋根組実施例の斜視図、図−５は枠無しパネルを取り付けた屋根組断面図、図−６は枠無しパネル一枚の斜視図である。【００１０】  図中１は登り梁で、枠無し断熱二重通気層パネル９（図−６）には通気層７（図−５）形成のための棒状断熱材３のスペーサー（図−５）が断熱材２と一体化されており、はめ込む登り梁（垂木）開の空間幅より若干大きめの断熱材２が取り付けられている。【００１１】  枠無し断熱二重通気層パネルを登り梁間（図−５）に押し込むようにして嵌め込むと、木材の粗面と樹脂製断熱材の弾性変形性能により、登り梁等木材に樹脂製断熱材が密着、小屋組み材である登り梁（垂木）１（図−４）には事前に樹脂製断熱材と同品質の棒状の断熱材受け４（図−４）が取り付けられており、枠無し断熱二重通気層パネル９（図−６）を登り梁（垂木）間に嵌め込んだ際にパネル側の断熱材２（図−４）が、この棒状断熱材受け４と密着（図−５）し、気密を確保している。
【図面の簡単な説明】
【００１２】
【図１】  枠無し断熱二重通気層パネル平面図
【図２】  同上底面図（状面図は対称に表れる）
【図３】  同上右側面図（左側面図は対称に表れる）
【図４】  枠無し断熱二重通気層パネルと小屋組材の結合状態を示す斜視図
【図５】  枠無し断熱二重通気層パネル小屋面断面図
【図６】  枠無し断熱二重通気層パネル斜視図
【符号の説明】
【００１３】  １        登り梁等屋根組材
２        樹脂製断熱材
３        棒状樹脂製断熱材スペーサー
４        棒状樹脂製断熱材受け
５        野地面材
６        屋根裏仕上げ面材
７        野地裏通気層
８        屋根裏仕上げ面材裏通気層
９        枠無し断熱二重通気層パネル
１０        通気スペーサー
【図１】
2006307615.tif 000003
【図２】
2006307615.tif 000004
【図３】
2006307615.tif 000005
【図４】
2006307615.tif 000006
【図５】
2006307615.tif 000007
【図６】
2006307615.tif 000008
(57)【要約】【課題】従来の帽子の縫い合わせ固定状態あごひもは、ゴムやリボンが用いられ、デザインが豊富でなくアクセサリーとして付け替えを楽しむことができない。従来のあごひも取り付け具は帽子の外観部分に直接つけるため、帽子の外観が変わり外観部分に傷がつく。【解決手段】従来の帽子内側のビンカワにあごひもをつけるためのひもをつける。着脱自在でデザインの幅を広げるため、ストラップ状のあごひもを左右２本帽子内側のひもにとりつけ、マジックテープ（登録商標）で接着する。ストラップ状のあごひもにすることにより、様々なデザインのあごひもを作成することができ、帽子が落ちるのを防ぐとともにアクセサリー感覚でお洒落を楽しむことができる。【選択図】図４
2006307399.tif 000002
【特許請求の範囲】
【請求項１】
帽子内側のビンカワにあごひもを取り付けるためのひもを付ける。容易に付ける場合はアイロン接着布にひもを固定した物を用い、アイロンで帽子内側のビンカワにあごひもを取り付けるためのひもを付ける。帽子内側のビンカワに取り付けたひもに左右２本ストラップ状のあごひもを取り付け、ストラップのひも部分はゴムを使用し、左右のあごひもをマジックテープ（登録商標）で接着する。ストラップ状のあごひもを使用することにより着脱自在でデザインの幅を広げることを特徴とする帽子取り外し可能あごひも。
【発明の詳細な説明】
【技術分野】
【０００１】本発明は帽子の取り外し可能あごひもに関する。
【背景技術】
【０００２】従来の帽子はあごひもが縫い合わせ固定状態。またはあごひもがない。あごひもはゴムやリボンが多く用いられデザインが豊富でなく、ストラップ状の物がない。従来のあごひも取り付け具は帽子の外観部分に直接つけている。
【特許文献１】  特開平９−１５７９３５号  公報
【発明の開示】
【発明が解決しようとする課題】
【０００３】従来の帽子の縫い合わせ固定状態あごひもは、ゴムやリボンが用いられ、デザインが豊富でなくアクセサリーとして付け替えを楽しむことができない。従来のあごひも取り付け具は帽子の外観部分に直接つけるため、帽子の外観が変わり外観部分に傷がつく。【０００４】本発明は帽子外観を変えることなく様々なあごひもを着脱自在にする。様々なデザインのあごひもを作成し帽子が落ちるのを防ぐためだけでなく、アクセサリーとしてつけ替えお洒落を楽しむことを目的とする。
【課題を解決するための手段】
【０００５】従来の帽子内側のビンカワにあごひもを取り付けるためのひもを付ける。容易に付ける場合はアイロン接着布にひもを固定した物を用い、アイロンで帽子内側のビンカワにあごひもを取り付けるためのひもを付ける。帽子内側のビンカワにひもを取り付けることにより、帽子の外観を傷つけることがない。また、内側にひもがついているので、あごひもをはずした状態で帽子をかぶる場合、帽子の外観に変化がない。【０００６】帽子内側のビンカワに取り付けたひもに左右２本ストラップ状のあごひもを取り付ける。あごひもをストラップ状にすることにより、着脱自在でデザインの幅が広がる。様々なデザインのあごひもを作成し、あごひもで帽子が落ちるのを防ぐためだけでなく、アクセサリーとしてつけ替えお洒落を楽しむことができる。首の安全を守るため及び様々なサイズの人に対応するため、ストラップのひも部分はゴムを使用する。左右のあごひもを簡単につなぐため、あごひもにマジックテープ（登録商標）を接着する。
【発明の効果】
【０００７】本発明は帽子の外観を変えたり傷つけたりしないので、気軽に使用できる。アイロン接着布にひもを固定した物を使用することにより作業が素早く簡単である。【０００８】あごひもがストラップ状なので、使用しない時は携帯電話や鞄につけ携帯し、必要な時だけあごひもとして使用することができる。【０００９】あごひもをストラップ状にすることによりビーズや宝石を使ったあごひも、花飾りや様々なデザインを取り入れたあごひもを作成することができる。【００１０】あごひもがアクセサリーとなり、ピアスやネックレスと違った感覚のお洒落を楽しむことができる。また、あごひもを１本つけた状態、２本つけた状態、左右のあごひもをつないだ状態等好みに合わせて使用することができ、帽子が個性豊かになりお洒落の幅が広がる。
【発明を実施するための最良の形態】
【００１１】以下、本発明の実施の形態を図１から図５に基づいて説明する。【００１２】図１の様に従来の帽子１０内側のビンカワ１１にあごひもを取り付けるためのひも１２をつける。ひも１２はビンカワ１１に直接縫い付けても良いが、素早く簡単につけるために図２の様に予めアイロン接着布１３にひも１２を固定した物を用意し、アイロンで接着する。【００１３】図３の様にひも１４の部分をゴムとしたストラップ状のあごひもを２本作り、双方を簡単につなぐことができるようマジックテープ（登録商標）１５を接着する。あごひもを帽子につけたときお洒落になるよう花の飾り１６をつける。【００１４】図４の様にストラップ状のあごひもをひも１２につけ、アクセサリーとしてあごひも使用する。あごひもの花の飾り１６が首付近で揺れお洒落である。【００１５】図５のように左右のあごひもをマジックテープ（登録商標）１５でつなぐことにより、帽子が落ちることを防ぐことができる。また花の飾り１６が首もとのアクセサリーとなりお洒落である。
【図面の簡単な説明】
【００１６】
【図１】本発明のあごひもを取り付けるためのひもを従来の帽子につけた説明図である。
【図２】本発明のあごひもを取り付けるためのひもを容易につける場合に使用する、アイロン接着布にひもを固定した状態の説明図である。
【図３】本発明のストラップ状のあごひもの説明図である。
【図４】本発明のあごひもを従来の帽子に取りつけ飾りとして使用した説明図である。
【図５】本発明のあごひもを従来の帽子に取り付け左右を接着しあごひもとして使用した説明図である。
【符号の説明】
【００１７】１０従来の帽子
１１ビンカワ
１２あごひもを取り付けるためのひも
１３アイロン接着布
１４ゴム
１５マジックテープ
１６花の飾り
【図１】
2006307399.tif 000003
【図２】
2006307399.tif 000004
【図３】
2006307399.tif 000005
【図４】
2006307399.tif 000006
【図５】
2006307399.tif 000007